(57)【要約】【課題】複数のリボン領域が組み合って光効率と光色の多様性を高くする蛍光剤装置及びそれを用いる光源システムを提供する。【解決手段】本発明の蛍光剤装置は、第1波長帯域光を放出する光源システムに適用され、第1領域とn個の単粉蛍光剤を含む。第1領域は、n≧2であるn個のサブ領域と、n個のサブ領域に塗布されて、それぞれ第１波長帯域光をn個の波長帯域光に転換させるn個の単粉蛍光剤と、を含む。ｎ個のサブ領域は所定の面積比を有し、第1波長帯域光は所定の面積比、所定の時間比で第2波長帯域光、第3波長帯域光、・・・及び第n+1波長帯域光に循環・転換して、所定の時間比で時分割して射出されたn個の波長帯域光を所定の色光に整合し、各領域は2つ以上のサブ領域を有するに設けられて、効率的に混合粉によるカスケード効果を防ぎ、かつ転換された発光効率と光色の多様性を向上させると同時に、射出される色光の色彩飽和度と輝度を向上するなどの効果に達する。【選択図】図3A
2014203819.tif 000002
【特許請求の範囲】
【請求項１】
第1波長帯域光を発光する光源システムに適用する蛍光剤装置において、
n個のサブ領域を含み、n≧2である第1領域と、
それぞれ該n個のサブ領域に塗布されて、それぞれ該第1波長帯域光をn個の波長帯域光に転換し、該n個の波長帯域光が第2波長帯域光、第3波長帯域光、・・・及び第n+1波長帯域光を含むn個の単粉蛍光剤と、を含み、
ここで、該n個のサブ領域は所定の面積比を有し、該第1波長帯域光は所定の面積比、所定の時間比で第2波長帯域光、該第3波長帯域光、・・・及び該第n+1波長帯域光に循環・転換されて、該所定の時間比で時分割して射出された該n個の波長帯域光を所定の色光に整合する蛍光剤装置。
【請求項２】
該n個のサブ領域は第1サブ領域と第2サブ領域であり、かつ該n個の単粉蛍光剤は第1単粉蛍光剤と第2単粉蛍光剤であり、該第1単粉蛍光剤は該第1サブ領域に塗布されて、該第1波長帯域光を第2波長帯域光に転換し、該第2単粉蛍光剤は該第2サブ領域に塗布されて、該第1波長帯域光を第3波長帯域光に転換しており、該第1波長帯域光は該所定の時間比で第2波長帯域光と該第3波長帯域光に循環・転換され、該所定の時間比で時分割して射出された該第2波長帯域光と該第3波長帯域光を所定の色光に整合する請求項１に記載の蛍光剤装置。
【請求項３】
該第1波長帯域光はブルー光で、該第2波長帯域光は赤光で、かつ該第3波長帯域光は黄光である請求項２に記載の蛍光剤装置。
【請求項４】
該第1波長帯域光はレーザー光源により供給されている請求項３に記載の蛍光剤装置。
【請求項５】
該第1サブ領域と該第2サブ領域の該所定の面積比が1：5である請求項３に記載の蛍光剤装置。
【請求項６】
該n個のサブ領域はそれぞれ単一領域である請求項１に記載の蛍光剤装置。
【請求項７】
少なくとも該n個のサブ領域のいずれか１つは不連続の領域である請求項１に記載の蛍光剤装置。
【請求項８】
透過光領域を更に含んで、該第1波長帯域光を直接透過させる請求項１に記載の蛍光剤装置。
【請求項９】
m≧2であるm個のサブ領域を含む第2領域と、それぞれ該m個のサブ領域に塗布されて、該第１波長帯域光をそれぞれｍ個の波長帯域光に転換するm個の単粉蛍光剤と、を更に含む請求項１に記載の蛍光剤装置。
【請求項１０】
光源システムにおいて、
少なくとも、
第1波長帯域光を光経路に発光するように設けられている固態発光モジュールと、
該光経路に設けられている蛍光剤装置と、を含み、
蛍光剤装置は、少なくとも、
n≧2であるn個のサブ領域を含む第1領域と、
それぞれ該n個のサブ領域に塗布されて、それぞれ該第１波長帯域光をn個の波長帯域光に転換するn個の単粉蛍光剤と、を含み、
該n個の波長帯域光は第2波長帯域光、第3波長帯域光、・・・及び第n+1波長帯域光を含み、
該n個のサブ領域は特定の面積比を有し、該第1波長帯域光は所定の面積比、所定の時間比で第2波長帯域光、該第3波長帯域光、・・・及び該第n+1波長帯域光に循環・転換されて、該所定の時間比で時分割して射出される該n個の波長帯域光を所定の色光に整合する光源システム。
【発明の詳細な説明】
【技術分野】
【０００１】
本発明は蛍光剤装置に関し、特に、複数のリボン領域が組み合って光効率と光色の多様性を高くする目的に達する蛍光剤装置及びそれを用いる光源システムに関する。
【背景技術】
【０００２】
近年、いろんな投影デバイス、例えばプロジェクター(Projector)はすでに家庭、学校またはいろんなビジネスの場に幅広く応用され、映像信号源により発信される映像信号を増幅してスクリーンに表示することに用いられている。電力消耗を節約し、装置の体積を収縮させるため、現在の投影デバイスの光源システム(Illumination System)はすでに固態発光モジュール、例えば発光ダイオードまたはレーザーモジュールを用いて、従来の高輝度放電ランプ(HID Lamp)または高圧水銀ランプを代替している。
【０００３】
投影デバイスの光源システムは、赤、緑、青(R、G、B)などの三原色の光を発光させる必要があるが、固態発光モジュールの発光効率において、通常は青光の固態発光モジュールの発光効率が非常に優れているため、現在は、多数が青光の固態発光モジュールに波長転換装置を合わせて、青光の波長を転換し、例えば蛍光剤カラーホイール(Phosphor Wheel)または蛍光剤カラープレート(Phosphor Plate)に合せていろんな色の光を励起している。これにより、赤光の固態発光モジュールまたは緑光の固態発光モジュールが赤光または緑光を直接発光する方式を代替して、光源システム全体の発光効率を向上させている。
【０００４】
通常、従来の投影デバイスの光源システムはほぼ2つ種類に分かれている。その１つの種類として、複数の青光の固態発光モジュールを用いて複数の単一領域の蛍光剤カラーホイールを合わせており、他の１つの種類として、単一の青光の固態発光モジュールを用いて複数の領域を有する単一の蛍光剤カラーホイールを合せている。図1Aは、それぞれ単一領域を有する従来の蛍光剤カラーホイール構造を示す図であり、図1Bは複数の領域を有する従来の蛍光剤カラーホイール構造を示す図である。図1Aに示されたように、単一領域を有する従来の蛍光剤カラーホイール10は単一領域101において、通常は対応する円心の角度が360度で、即ち、周囲の蛍光剤カラーホイール10の全ては単一の蛍光剤を塗布し、かつ該蛍光剤は1つ以上の蛍光粉により単独（単粉蛍光剤）または混合（混合粉蛍光剤）されている。図1Bに示されたように、複数領域を有する従来の蛍光剤カラーホイール11において、通常は3つまたは4つの領域を有することが主になり、例えば第1領域111、第2領域112、第3領域113および第4領域114で、かつ第1領域111、第2領域112、第3領域113および第4領域114にはそれぞれ赤色の蛍光剤、緑色の蛍光剤、青色の蛍光剤と黄色の蛍光剤などが塗布され、かつ各色の蛍光剤は1つ以上の蛍光粉により単独または混合されている。
【０００５】
蛍光剤カラーホイールの発光を多様化させるため、通常は2つ以上の蛍光粉の混合により混合粉の蛍光剤を製造して、発光の特性を調整する。例えば、赤色蛍光粉を添加することで、色が比較的暖色に近づき、または主波長が555ナノメートル(Nanometer、nm)の高輝度の蛍光粉を添加して発光のルーメン値などを高くしている。しかし、各種類の蛍光粉は製造メーカが自分で製造するため、その成分を明確に知ることが難しく、蛍光剤を混合調製する難度が比較的高くなり、かつその主な構成材料が異なることで、カスケード効果(Cascade effect)が発生しやすくなり、低エネルギー準位の蛍光粉（長波長の蛍光材料）であっても高エネルギー準位に接近する蛍光粉を吸収して、全体の発光効率を低くする。例えば、業界でよく見られる黄色の蛍光粉と赤色の蛍光粉により混合・製造された蛍光剤において、黄光部分の波長が510ナノメートルから580ナノメートル範囲の一部は赤色の蛍光粉により吸収されて、全体の発光周波数帯面積（即ち、発光エネルギー）が、黄色の蛍光粉と赤色の蛍光粉により混合された周波数帯面積の理論値より約14%低い。従来の技術手段により混合された蛍光粉は、カスケード効果によって発光効率が所定の理論値に達することができなく、発光効率の不良な問題が発生し、更に色彩飽和度が不足し、または色ずれ現象をもたらし、更に光源システムの色相の表現が工業で制定された標準色地域（例えば、高画質のテレビジョン(High Definition Television、HDTV)のRec.709標準色域、即ちITU無線通信部門のBT.709提案（ITU-R Recommendation BT.709、またはRec.709））に適合しない。
【０００６】
そのため、上記の従来技術の問題を鑑み、現在の問題点を解決するため、本発明はカスケード効果を防ぎ、色彩飽和度と輝度を向上させ、かつ製造難度を低減させる蛍光剤装置及びそれを用いる光源システムを提供する。
【発明の概要】
【０００７】
本発明の主な目的は、従来の蛍光剤装置における蛍光粉の混合の製造難度が高く、カスケード効果による低発光効率、色彩飽和度の不足、色ずれ現象などの欠点を解決するための蛍光剤装置及それを用いる光源システムを提供する。
【０００８】
本発明の他の目的は、各領域が2つ以上のサブ領域を含むことで、カスケード効果を効率的に防ぎ、かつ転換される発光効率及び光色の多様性を向上させると同時に、射出される色光の色彩飽和度と輝度を向上させるなどの効果を有する蛍光剤装置及びそれを用いる光源システムを提供する。
【０００９】
本発明の他の目的は、2種類以上の単粉蛍光剤がそれぞれ異なるサブ領域に塗布されて、蛍光粉の混合係数を無視し、かつ製造工程を単純化し、更に製造難度と製造コストを低減させる効果に達する蛍光剤装置及びそれを用いる光源システムを提供する。
【００１０】
前記目的を達成するため、本発明の好ましい実施状態では、第1波長帯域光を発光する光源システムに適用される蛍光剤装置を提供し、当該蛍光剤装置は少なくとも、n個のサブ領域を含み、n≧2である第1領域と、該n個のサブ領域にそれぞれ塗布され、かつ第1波長帯域光をn個の波長帯域光に転換させるn個の単粉蛍光剤と、を含み、該n個の波長帯域光は第2波長帯域光、第3波長帯域光、・・・及び第n+1波長帯域光を含み、該n個のサブ領域は所定の面積比を有し、該第1波長帯域光は所定の面積比、所定の時間比で循環して第2波長帯域光、該第3波長帯域光、・・・及び該第n+1波長帯域光に転換されて、所定の時間比で時分割して射出された該n個の波長帯域光を所定の色光に整合する。
【００１１】
前記目的に達するため、本発明の他の好ましい実施状態は光源システムを提供し、該光源システムは少なくとも、第1波長帯域光を光経路に発光するように設けられている固態発光モジュールと、該光経路に設けられている蛍光剤装置と、を含み、該蛍光剤装置は少なくとも、n個のサブ領域を含み、n≧2である第1領域と、該n個のサブ領域に塗布されて、それぞれ該第1波長帯域光をn個の波長帯域光に転換させるn個の単粉蛍光剤と、を含み、該n個の波長帯域光は第2波長帯域光、第3波長帯域光、・・・及び第n+1波長帯域光を含み、該n個のサブ領域は所定の面積比を有し、該第1波長帯域光は所定の面積比、所定の時間比で該第2波長帯域光、該第3波長帯域光、・・・及び該第n+1波長帯域光に循環・転換されて、該所定の時間比で時分割して射出された該n個の波長帯域光を所定の光色に整合する。
【図面の簡単な説明】
【００１２】
【図１Ａ】図1Aは、単一領域を有する従来の蛍光剤カラーホイールの構造を示す図である。
【図１Ｂ】図1Bは、複素の領域を有する従来の蛍光剤カラーホイールの構造を示す図である。
【図２】図2は、本発明の好ましい実施例の光源システムを示す図である。
【図３Ａ】図3Aは、本発明の好ましい実施例の蛍光剤装置の構造を示す図である。
【図３Ｂ】図3Bは、本発明の他の好ましい実施例の蛍光剤装置の構造を示す図である。
【図４】図4は、本発明の他の実施例の蛍光剤装置の構造を示す図である。
【図５】図5は、本発明の他の好ましい実施例の蛍光剤装置の構造を示す図である。
【図６Ａ】図6Aは、本発明の蛍光剤装置により転換・射出された所定の色光と従来混合粉方式により生じた色光との強度-波長の対応図である。
【図６Ｂ】図6Bは、本発明の蛍光剤装置により転換・射出された所定の色光と従来混合粉方式により生じた輝度との強度-波長の対応図である。
【発明を実施するための形態】
【００１３】
本発明の特徴をあらわす好ましい実施例については、後部で詳細に説明する。本発明は、異なる状態でいろんな変化を有し、それは本発明の範囲を離れておらず、明細書と図面は説明を行うためのものの、本発明を制限するのもではない。
【００１４】
図2、図3A及び図3Bにおいて、図2は本発明の好ましい実施例の光源システムを示す図で、図3Aは本発明の好ましい実施例の蛍光剤装置の構造を示す図で、図3Bは本発明の他の好ましい実施例の蛍光剤装置の構造を示す図である。図2、図3A、図3Bに示されたように、本発明の光源システム2はプロジェクター、例えばレーザープロジェクター、三次元ビデオプロジェクターまたは実物プロジェクターなどに応用され、かつ少なくとも固態発光モジュール21と蛍光剤装置22を含む。固態発光モジュール21はレーザーモジュールまたはダイオードに制限されないが、ブルー光レーザーモジュールまたはブルー光ダイオードが好ましく、第1波長帯域光L1を光経路に発光するように設けられている。蛍光剤装置22は前記光経路に設けられ、第1領域220とn個の単粉蛍光剤を含み、第1領域220はn個のサブ領域を含み、nはn≧2の正整数、かつn個の単粉蛍光剤はそれぞれn個のサブ領域に塗布されて、それぞれ第1波長帯域光L1を波長の異なるn個の波長帯域光に転換し、n個の波長帯域光は第2波長帯域光、第3波長帯域光、・・・及び第n+1波長帯域光を含む。本実施例で、n=2の場合、n個の単粉蛍光剤は第１単粉蛍光剤221と第2単粉蛍光剤222で、かつ第1領域220のn個のサブ領域は第１サブ領域2201と第２サブ領域2202で、第1単粉蛍光剤221は第1サブ領域2201に塗布されて、第1波長帯域光L1を第2波長帯域光L2に転換し、第2単粉蛍光剤222は第2サブ領域2202に塗布されて、第1波長帯域光L1を第3波長帯域光L3に転換する。n個のサブ領域は所定の面積比を有し、第1波長帯域光L1は所定の面積比で、蛍光剤装置22の定速に合わせて回転することで、所定の時間比で第２波長帯域光L2、第3波長帯域光L3、・・・及び第n+1波長帯域光に循環・転換されて、所定の時間比で時分割 (Sequentially) して射出されたn個の波長帯域光を１つの所定の色光に整合する。
【００１５】
本実施例において、n=2の場合、第１波長帯域光L1は所定の時間比で第2波長帯域光L2と第3波長帯域光L3に循環・転換され、かつ該所定の時間比で時分割して射出された第2波長帯域光L2と第3波長帯域光L3を所定の色光に整合し、例えば赤光、黄光または赤黄光であるが、これに限定されない。これにより、2種類以上の単粉蛍光剤をそれぞれ異なるサブ領域に塗布し、蛍光粉の混合係数を無視し、かつ製造過程を単純化し、更に製造難度と製造コストを低減させるなどの効果に達する。
【００１６】
一部の実施例において、本発明の蛍光剤装置22の第1領域220の第1サブ領域2201と第２サブ領域2202の所定の面積比は需要によって調整、設計されることができ、かつ所定の面積比は1対5が好ましい。図3Aに示されたように、蛍光剤装置22が円形の蛍光剤カラーホイールである時、第1サブ領域2201の対応する円心角度が60度で、かつ第2サブ領域2202の対応する円心角度が300度である。第1サブ領域2201と第２サブ領域2202の所定の面積比が1対1でも可能で、図3Bに示されたように、対応する円心角度がそれぞれ180度、または光機構により他の幾何形状または他の比率の面積または角度に設計、調整することができるが、これに限らない。
【００１７】
図3Aに示されたように、本発明の蛍光剤装置22の第1領域220は少なくとも２つのサブ領域を含み、かつ2種類以上の単粉蛍光剤を塗布して、従来の蛍光剤装置が単一領域で混合粉蛍光剤を塗布するのを代替する。本発明の蛍光剤装置22を励起して赤黄光を発光させる場合、赤黄光の励起領域を本発明のおける第１領域220に設け、かつ第1サブ領域2201に塗布された第1単粉蛍光剤221を重量％濃度が50wt%の赤色単粉蛍光剤にし、かつ第2サブ領域2202に塗布された第2蛍光剤222を重量％濃度が50wt%の黄色単粉蛍光剤にし、更に所定の面積比で設計、組成すればよい。発光輝度を増加させる場合、第1サブ領域2201と第２サブ領域2202の所定の面積比は1対5が好ましく、即ち、塗布された赤色の単粉蛍光剤と黄色の単粉蛍光剤の重量％比が1対5で、かつ蛍光剤装置22の定速に合わせて回転する所定の時間比が１対５で、これによって発生される赤光の輝度が176.37ルーメン/タイル(lm/W)に達する。従来の蛍光剤装置の赤黄光の励起領域で発生する赤光の輝度の140.57ルーメン/タイル(lm/W)に比べて、向上幅が25%に達する。従来の蛍光剤装置は総合50wt%の混合粉蛍光剤が単一領域に塗布され、かつ該混合粉蛍光剤は41.67wt%の黄色の単粉蛍光剤と8.33wt%の赤色の単粉蛍光剤により混合されており、赤色の単粉蛍光剤の重量％濃度が8.33wt%のみで、かつ黄色の単粉蛍光剤の重量％濃度が41.67wt%のみであるため、従来の蛍光剤装置の発光効率は本発明の蛍光剤装置22に及ばない。更に、本発明の蛍光剤装置22は蛍光粉の混合方式により単一領域に塗布されず、各領域が２つ以上のサブ領域を有して、それぞれ第1単粉蛍光剤と第2単粉蛍光剤を塗布し、これにより、カスケード効果を効率的に防ぐことができ、かつ転換された発光効率と光色の多様性を向上させると同時に、出射された色光の色彩飽和度と輝度を向上させる効果に達する。
【００１８】
図4は、本発明の他の実施例の蛍光剤装置の構造を示す図である。図4に示されたように、本発明の蛍光剤装置22は第2領域223、第3単粉蛍光剤224、第4単粉蛍光剤225を更に含む。第2領域223は第3サブ領域2231と第４サブ領域2232を含み、第3単粉蛍光剤224は第3サブ領域2231に塗布されて、第1波長帯域光L1を第4波長帯域光に転換し、かつ第4単粉蛍光剤225は第4サブ領域2232に塗布されて、第1波長帯域光L1を第5波長帯域光に転換しているが、それに限定されない。第1波長帯域光L1が第4波長帯域光に転換、第1波長帯域光L1が第5波長帯域光に転換される概念と、図２に示された第1波長帯域光L1が第2波長帯域光L2に転換、第1波長帯域光L1が第3波長帯域光L3に転換される概念が同一だめ、省略する。更に、蛍光剤装置22は第3領域226を更に含み、第1領域220と第2領域223と共に時分割でいろんな色光の射出に応用され、例えば、三原色光を発光する時、第3領域226は透過光材料227（例えば、ガラスまたはアクリルなど）を含んで、ブルー光を直接透過させ、かつ第1領域220と第2領域223がそれぞれ励起されて赤光と緑光を射出するが、これに限定されない。
【００１９】
本発明の構想により、本発明の蛍光剤装置22が時分割で三原色光の射出に応用される時、第1領域220、第2領域223、第3領域226の面積比が1対1対1になる場合、円形の蛍光剤カラーホイールにおける対応する円心の角度が全て120度である。第1領域220の第1サブ領域2201と第2サブ領域2202の所定の面積比が1対5になる場合、円形蛍光剤カラーホイールにおける対応する円心の角度がそれぞれ20度と100度で、第2領域223の第3サブ領域2231と第4サブ領域2232の面積比が1対1になる場合、円形蛍光剤カラーホイールにおける対応する円心の角度が全て60度になって、第1領域220、第2領域223、第3領域226を通してそれぞれ赤光、緑光とブルー光などの三原色光を射出することができる。当然、それ以外の面積比または対応する円心の角度の角度関係は需要に従って配置、設計されることができ、その全てが、本発明の保護範囲に属すべきである。
【００２０】
図5は、本発明の他の好ましい実施例の蛍光剤装置の構造を示す図である。図5に示されたように、本発明の蛍光剤装置22の第1領域220の第1サブ領域2201と第２サブ領域2202は任意に分離して配置され、かつ上述の実施例と同じく、第1サブ領域2201と第２サブ領域2202の所定の面積比は1対5が好ましく、第1サブ領域2201と第２サブ領域2202は連続領域に限定されず、第1サブ領域2201と第２サブ領域2202は異なる複数の部分領域に仕切られることができ、第1サブ領域2201と  第２サブ領域2202は異なる複数の部分領域により構成されて、同一の総合の所定の面積比のみを有することで、同様の発光効果に達することができる。例えば、第1サブ領域2201は対応する円形の蛍光剤カラーホイールの円心角度が30度の3つの部分に仕切られ、かつ第2サブ領域2202は対応する円形の蛍光剤カラーホイールの円心角度がそれぞれ75度、75度、150度の3つの部分に仕切られても、依然として同様の発光効果に達し、その作用の原理は上述の実施例と同じあるため、ここでは説明しない。
【００２１】
図6Aと図6Bにおいて、図6Aは本発明の蛍光剤装置により転換・射出された所定の色光と従来の混合粉方式により生じた色光の強度-波長の対応図で、図6Bは本発明の蛍光剤装置により転換・射出された所定の色光と従来の混合粉方式により生じた色光の輝度-波長の対応図である。図6Aと図6Bに示されたように、従来の混合粉方式により得られた色光は8ワット(W)ブルー光レーザーの励起で発光された特性は140.57ルーメン/タイル(lm/W)で、かつ色座標が(0.474、 0.497)で、本発明の蛍光剤装置により転換・発光された所定の色光は同じく8ワット(W)ブルー光レーザーの励起で発光された特性は176.37ルーメン/タイル(lm/W)で、全体の発光輝度が大幅に25%向上され、かつ黄色の単粉蛍光剤と赤色の単粉蛍光剤の理論値177.4ルーメン/タイル(lm/W)と適合する（表1を参照）。本発明は蛍光剤の間のカスケード効果の発生を確実に防ぎ、全体の発光効率を向上させることができ、赤光の発光周波数帯が顕著に増加され、更に色帯域の多様変化を向上する効果に達する。
【００２２】
【表１】
2014203819.tif 000003
【００２３】
上述により、本発明は蛍光剤装置及びそれを用いる光源システムを提供し、各領域が2つ以上のサブ領域を含む配置によって、カスケード効果を有効的に防ぎ、かつ転換された発光効率と光色の多様性を向上させると同時に、射出される色彩飽和度と輝度を向上する効果に達する。更に、２種類以上の蛍光剤をそれぞれ異なるサブ領域に塗布し、蛍光粉の混合係数を無視して製造過程を単純化し、更に製造難度と製造コストを低減させることができる。 
【００２４】
本発明は前記実施例の詳細な説明により、当業者はいろんな修飾を行うことができるが、本発明の特許請求の保護範囲に属すべきである。
【符号の説明】
【００２５】
10    従来の蛍光剤カラーホイール
101    領域
11    従来の蛍光剤カラーホイール
111    第1領域
112    第2領域
113    第3領域
114    第4領域
2    光源システム
21    固態発光モジュール
22    蛍光剤装置
220    第1領域
2201    第1サブ領域
2202    第2サブ領域
221    第1単粉蛍光剤
222    第2単粉蛍光剤
223    第2領域
2231    第3サブ領域
2232    第4サブ領域
224    第3単粉蛍光剤
225    第4単粉蛍光剤
226    第3領域
227    透過光材料
L1    第1波長帯域光
L2    第2波長帯域光
L3    第3波長帯域光
【図１Ａ】
2014203819.tif 000004
【図１Ｂ】
2014203819.tif 000005
【図２】
2014203819.tif 000006
【図３Ａ】
2014203819.tif 000007
【図３Ｂ】
2014203819.tif 000008
【図４】
2014203819.tif 000009
【図５】
2014203819.tif 000010
【図６Ａ】
2014203819.tif 000011
【図６Ｂ】
2014203819.tif 000012